(57)【要約】【課題】振動を抑制することができるとともに小型化を図ることができる、ワイヤロープ繰り出し装置を提供する。【解決手段】ワイヤロープＷを巻き付けたドラム２からワイヤロープＷを繰り出すワイヤロープ繰り出し装置であって、ドラム２の空洞軸２１の開口部２１ａに挿入されて固定されるとともに空洞軸２１と同軸上の挿通孔３１を有するアタッチメント３と、挿通孔３１に挿通される回転軸４と、回転軸４を回転可能に支持する支持架台５と、を有している。【選択図】図１
2014181080.tif 000002
【特許請求の範囲】
【請求項１】
ワイヤロープを巻き付けたドラムからワイヤロープを繰り出すワイヤロープ繰り出し装置において、
前記ドラムの空洞軸の開口部に挿入されて固定されるとともに前記空洞軸と同軸上の挿通孔を有するアタッチメントと、
前記挿通孔に挿通される回転軸と、
該回転軸を回転可能に支持する支持架台と、
を有することを特徴とするワイヤロープ繰り出し装置。
【請求項２】
前記アタッチメントは、前記空洞軸に挿通される先端側が縮径した筒状部と、該筒状部の後端側を塞ぐとともに前記筒状部よりも大きな径を有する蓋部と、を有し、前記挿通孔は前記蓋部に形成されている、ことを特徴とする請求項１に記載のワイヤロープ繰り出し装置。
【請求項３】
前記支持架台は、前記回転軸の一端を回転可能に支持する第一上部支持架台と、前記回転軸の他端を回転可能に支持する第二上部支持架台と、前記第一上部支持架台及び前記第二上部支持架台を昇降可能に支持する下部支持架台と、を有し、前記下部支持架台は、前記第一上部支持架台に接続される第一支持部と、前記第二上部支持架台に接続される第二支持部と、前記第一支持部及び前記第二支持部を連結する連結部と、を有することを特徴とする請求項１又は２に記載のワイヤロープ繰り出し装置。
【請求項４】
前記支持架台は、前記第一支持部に対して前記第一上部支持架台を上下方向に移動させる第一ホイストと、前記第一支持部に対して前記第一上部支持架台を位置決めする第一固定部と、前記第二支持部に対して前記第二上部支持架台を上下方向に移動させる第二ホイストと、前記第二支持部に対して前記第二上部支持架台を位置決めする第二固定部と、を有することを特徴とする請求項３に記載のワイヤロープ繰り出し装置。
【請求項５】
前記支持架台は、前記ドラムの両端部に形成されたフランジ部の、少なくとも一方の前記フランジ部の周側部に当接して前記ドラムの回転を制動する制動手段を有する、ことを特徴とする請求項１〜４のいずれか一項に記載のワイヤロープ繰り出し装置。
【発明の詳細な説明】
【技術分野】
【０００１】
本発明は、ワイヤロープ繰り出し装置に関し、特に、水門、クレーン、エレベータ等のワイヤロープを使用した設備のワイヤロープ交換作業に用いるワイヤロープ繰り出し装置に関する。
【背景技術】
【０００２】
水門、クレーン、エレベータ等のワイヤロープを使用した設備では、補修時にワイヤロープ交換作業を行うことがある。かかるワイヤロープ交換作業は、一般に、新しいワイヤロープの先端を古いワイヤロープの端部に接続し、既存設備のウインチを駆動させて、古いワイヤロープを送り出し、新しいワイヤロープの先端がウインチに到達した後、新しいワイヤロープの先端をウインチに接続し、既存設備のウインチを再び駆動させることにより、新しいワイヤロープをウインチに巻き付けることによって行われる。
【０００３】
新しいワイヤロープは、一般に、木製ドラムに巻かれた状態で現場に調達され、木製ドラムを回転可能に支持するワイヤロープ繰り出し装置に載せ替えられる。例えば、特許文献１に記載されたワイヤロープ繰り出し装置では、ワイヤロープを巻いたドラムを横にしてセットし、このドラムを一定間隔にわたって往復移動させることとし、ワイヤロープを巻き取るウインチとの間に、両側端より中央がすぼまった胴を有する制御ドラムを配置してワイヤロープを数回巻回させるとともにこの制御ドラムの回転を制御させてワイヤロープを繰り出すようにしている。
【先行技術文献】
【特許文献】
【０００４】
【特許文献１】特開平８−４０６９３号公報
【発明の概要】
【発明が解決しようとする課題】
【０００５】
ところで、水門、クレーン、エレベータ等に使用されるワイヤロープは、例えば、３０〜５０ｍｍ程度の太い径を有していることが多く、ワイヤロープを巻き付けた木製ドラムは重量物（例えば、数百ｋｇ〜数ｔ程度）になりやすい。特に、水門のような大型設備では、ワイヤロープが太くて長くなることが多く、ワイヤロープを巻き付けた木製ドラムの重量が増加する傾向にある。
【０００６】
このような太い径を有するワイヤロープでは、ワイヤロープそのものが重くなるだけでなく、ワイヤロープ交換作業時に生じる張力も数ｔ〜数十ｔにも及ぶこととなる。したがって、ワイヤロープを巻き付けた木製ドラムを支持するワイヤロープ繰り出し装置は、頑強な構造であることが求められる。
【０００７】
しかしながら、上述した特許文献１に記載したワイヤロープ繰り出し装置は、木製ドラムを片持ちで支持しているうえに往復移動させる構造を有していることから、装置の剛性が弱く振動を生じやすい、剛性を高めようとすれば装置が大型化しやすい等の問題があった。特に、ワイヤロープ繰り出し装置が振動した場合には、ワイヤロープが弛んで地面で擦ってしまうこととなり、新しいワイヤロープを交換前に損耗させてしまうこととなる。
【０００８】
また、木製ドラムは空洞軸を有し、ワイヤロープ繰り出し装置の軸部に空洞軸を遊嵌状に挿入することによって回転可能に支持されることが多い。さらに、木製ドラムは、巻き付けられたワイヤロープの端部によって重心が偏っている。したがって、ワイヤロープの繰り出し時に、木製ドラムは、速い回転速度と遅い回転速度を交互に繰り返しながら不規則な回転運動をすることとなり、ワイヤロープ繰り出し装置が振動しやすい、より高い剛性が求められる等の問題もあった。
【０００９】
本発明は、上述した問題点に鑑み創案されたものであり、振動を抑制することができるとともに小型化を図ることができる、ワイヤロープ繰り出し装置を提供することを目的とする。
【課題を解決するための手段】
【００１０】
本発明によれば、ワイヤロープを巻き付けたドラムからワイヤロープを繰り出すワイヤロープ繰り出し装置において、前記ドラムの空洞軸の開口部に挿入されて固定されるとともに前記空洞軸と同軸上の挿通孔を有するアタッチメントと、前記挿通孔に挿通される回転軸と、該回転軸を回転可能に支持する支持架台と、を有することを特徴とするワイヤロープ繰り出し装置が提供される。
【００１１】
前記アタッチメントは、前記空洞軸に挿通される先端側が縮径した筒状部と、該筒状部の後端側を塞ぐとともに前記筒状部よりも大きな径を有する蓋部と、を有し、前記挿通孔は前記蓋部に形成されていてもよい。
【００１２】
前記支持架台は、前記回転軸の一端を回転可能に支持する第一上部支持架台と、前記回転軸の他端を回転可能に支持する第二上部支持架台と、前記第一上部支持架台及び前記第二上部支持架台を昇降可能に支持する下部支持架台と、を有し、前記下部支持架台は、前記第一上部支持架台に接続される第一支持部と、前記第二上部支持架台に接続される第二支持部と、前記第一支持部及び前記第二支持部を連結する連結部と、を有していてもよい。
【００１３】
前記支持架台は、前記第一支持部に対して前記第一上部支持架台を上下方向に移動させる第一ホイストと、前記第一支持部に対して前記第一上部支持架台を位置決めする第一固定部と、前記第二支持部に対して前記第二上部支持架台を上下方向に移動させる第二ホイストと、前記第二支持部に対して前記第二上部支持架台を位置決めする第二固定部と、を有していてもよい。
【００１４】
前記支持架台は、前記ドラムの両端部に形成されたフランジ部の、少なくとも一方の前記フランジ部の周側部に当接して前記ドラムの回転を制動する制動手段を有していてもよい。
【発明の効果】
【００１５】
上述した本発明に係るワイヤロープ繰り出し装置によれば、ワイヤロープを巻き付けたドラムの空洞軸に挿入されるとともに回転軸を挿通可能なアタッチメントを使用したことにより、ドラムと回転軸の偏心量を低減することができ、ドラムの回転を安定させることができ、支持架台に生じる振動を抑制することができる。また、かかる振動を抑制したことにより、支持架台に求められる剛性を従来よりも低くすることができ、支持架台の小型化、すなわち、ワイヤロープ繰り出し装置の小型化を図ることができる。
【００１６】
また、ドラムの左右の支持部（第一支持部及び第二支持部）を連結部で連結したことにより、支持架台を一体化することができ、支持架台の剛性を高め、ドラムの支持を安定させることができる。
【図面の簡単な説明】
【００１７】
【図１】本発明の第一実施形態に係るワイヤロープ繰り出し装置を示す図であり、（ａ）は側面図、（ｂ）は正面図、である。
【図２】図１に示したアタッチメントの説明図であり、（ａ）は全体構成図、（ｂ）は使用状態を示す断面図、を示している。
【図３】本発明の第二実施形態に係るワイヤロープ繰り出し装置を示す図であり、（ａ）は側面図、（ｂ）は正面図、である。
【図４】本発明の第三実施形態に係るワイヤロープ繰り出し装置を示す図であり、（ａ）は側面図、（ｂ）は正面図、である。
【図５】図４に示したワイヤロープ繰り出し装置の変形例を示す図であり、（ａ）は第一変形例、（ｂ）は第二変形例、を示している。
【図６】本発明の第四実施形態に係るワイヤロープ繰り出し装置を示す図であり、（ａ）は側面図、（ｂ）は正面図、である。
【発明を実施するための形態】
【００１８】
以下、本発明の実施形態について、図１〜図６を用いて説明する。ここで、図１は、本発明の第一実施形態に係るワイヤロープ繰り出し装置を示す図であり、（ａ）は側面図、（ｂ）は正面図、である。図２は、図１に示したアタッチメントの説明図であり、（ａ）は全体構成図、（ｂ）は使用状態を示す断面図、を示している。なお、図１（ａ）及び（ｂ）において、支持架台以外の構成については、説明の便宜上、一点鎖線で図示している。
【００１９】
本発明の第一実施形態に係るワイヤロープ繰り出し装置１は、図１及び図２に示したように、ワイヤロープＷを巻き付けたドラム２からワイヤロープＷを繰り出すワイヤロープ繰り出し装置であって、ドラム２の空洞軸２１の開口部２１ａに挿入されて固定されるとともに空洞軸２１と同軸上の挿通孔３１を有するアタッチメント３と、挿通孔３１に挿通される回転軸４と、回転軸４を回転可能に支持する支持架台５と、を有している。
【００２０】
ドラム２は、例えば、木製のドラムであって、図２（ｂ）に示したように、ワイヤロープＷが巻き付けられる円筒部２２と、円筒部２２の両端部に形成された円板状のフランジ部２３と、を有している。空洞軸２１は、円筒部２２の内部空間によって構成され、開口部２１ａは、フランジ部２３の中心部に形成されている。なお、説明の便宜上、ワイヤロープＷをドラム２の円筒部２２に一重に巻き付けた状態を図示している。
【００２１】
ワイヤロープＷは、例えば、水門、クレーン、エレベータ等の設備に使用されるものであり、一般に鋼線を捩り合わせて構成される。ワイヤロープＷは、例えば、３０〜５０ｍｍ程度の径を有していてもよい。なお、ワイヤロープＷは、鋼線以外の金属線により構成されていてもよい。
【００２２】
アタッチメント３は、図２（ａ）に示したように、空洞軸２１に挿通される先端側が縮径した筒状部３２と、筒状部３２の後端側を塞ぐとともに筒状部３２よりも大きな径を有する蓋部３３と、を有し、挿通孔３１は蓋部３３に形成されている。かかるアタッチメント３は、例えば、硬質ゴム、樹脂材、金属等の素材により構成される。なお、図２（ａ）において、左図は側面図、右図は平面図、を示している。
【００２３】
筒状部３２は、外形が円錐台形状を有する筒体により構成されており、空洞軸２１に挿通される先端側の径が、蓋部３３に接続される後端側の径よりも小さく構成されている。したがって、筒状部３２は、空洞軸２１の開口部２１ａに挿入しやすい構成となっている。また、蓋部３３は、筒状部３２と同軸上に配置された円板形状を有しており、中心部に挿通孔３１が形成されている。挿通孔３１は、空洞軸２１の開口部２１ａよりも小さい径を有している。
【００２４】
アタッチメント３は、図２（ｂ）に示したように、ドラム２の両端部の開口部２１ａに挿入される。アタッチメント３は、筒状部３２の後端側の径が、開口部２１ａの径と同じ大きさか、それ以上の大きさとなるように形成されており、筒状部３２を開口部２１ａに押し込むことによって固定される。蓋部３３は、ドラム２の側面部に当接し、ストッパとしての機能を有している。なお、アタッチメント３の脱落を防止するために、蓋部３３とドラム２の側面部にボルト等の締結具によって固定するようにしてもよい。
【００２５】
挿通孔３１の径は、回転軸４の径と同じ大きさか、それよりも僅かに大きくなるように設定されており、図示したように、挿通孔３１に回転軸４が挿通される。回転軸４を位置決めするために、ナット等の留め具を回転軸４の両端からアタッチメント３に当接するように装着してもよい。
【００２６】
かかるアタッチメント３を使用することにより、ドラム２と回転軸４の偏心量を低減することができ、ドラム２の回転を安定させることができ、支持架台５に生じる振動を抑制することができる。
【００２７】
支持架台５は、例えば、図１（ａ）及び（ｂ）に示したように、回転軸４の一端を回転可能に支持する第一上部支持架台５１と、回転軸４の他端を回転可能に支持する第二上部支持架台５２と、第一上部支持架台５１及び第二上部支持架台５２を昇降可能に支持する下部支持架台５３と、を有し、下部支持架台５３は、第一上部支持架台５１に接続される第一支持部５３ａと、第二上部支持架台５２に接続される第二支持部５３ｂと、第一支持部５３ａ及び第二支持部５３ｂを連結する連結部５３ｃと、を有している。
【００２８】
第一上部支持架台５１は、図１（ａ）に示したように、略ロ字状のフレーム構造を有している。かかるフレームの上部には、回転軸４を支持する軸受部５１ａが形成されている。第二上部支持架台５２は、図１（ｂ）に示したように、第一上部支持架台５１と同じ構成を有しており、フレームの上部には軸受部５２ａが形成されている。なお、軸受部５２ａの外側には、回転軸４の位置決めを行うナット４１を配置するようにしてもよい。
【００２９】
下部支持架台５３の第一支持部５３ａは、図１（ａ）に記載したように、略ロ字状のフレーム構造を有しており、その内側に第一上部支持架台５１が摺動可能となるように構成されている。また、下部支持架台５３（支持架台５）は、第一支持部５３ａに対して第一上部支持架台５１を上下方向に移動させる第一ホイスト５４と、第一支持部５３ａに対して第一上部支持架台５１を位置決めする第一固定部５５ａと、を有している。
【００３０】
第一支持部５３ａを構成する上部フレームの下面には、第一ホイスト５４を接続可能な上部係止部５３ｄが配置されており、第一上部支持架台５１を構成する下部フレームの上面には、第一ホイスト５４を接続可能な下部係止部５１ｂが配置されている。上部係止部５３ｄ及び下部係止部５１ｂは、第一支持部５３ａをバランスよく移動させるために、中央部に配置されていることが好ましい。
【００３１】
第一ホイスト５４は、ワイヤロープやチェーン等の索体を上部係止部５３ｄ及び下部係止部５１ｂに接続し、索体の長さを調節することにより、第一支持部５３ａに対して第一上部支持架台５１を上下方向に相対移動させる機器の総称である。一般に、支持架台５の高さを調整する場合には、油圧シリンダや油圧ジャッキが使用されるため、装置が大型化しやすい。それに対して、本実施形態では、ホイスト等の小型の昇降機構を使用したことにより、支持架台５の小型化及び軽量化を図ることができる。なお、本実施形態において、支持架台５の高さを調節する場合には、ドラム２を支持架台５に載置する前に、調節しておくことが好ましい。
【００３２】
第一固定部５５ａは、例えば、第一上部支持架台５１及び第一支持部５３ａに形成された複数の孔（図示せず）と、第一上部支持架台５１の孔と第一支持部５３ａの孔とを一致させた状態で螺合されるボルト５５ｃと、により構成される。ボルト５５ｃの替わりに、第一上部支持架台５１及び第一支持部５３ａの孔に挿通されるピンを使用するようにしてもよい。
【００３３】
下部支持架台５３の第二支持部５３ｂは、上述した第一支持部５３ａと同じ構成を有しており、第二支持部５３ｂに対して第二上部支持架台５２を上下方向に移動させる第二ホイスト（図示せず）と、第二支持部５３ｂに対して第二上部支持架台５２を位置決めする第二固定部５５ｂと、を有している。
【００３４】
また、下部支持架台５３は、図１（ｂ）に示したように、第一支持部５３ａ及び第二支持部５３ｂを連結する連結部５３ｃを有している。連結部５３ｃは、例えば、第一支持部５３ａ及び第二支持部５３ｂの上端部及び下端部に配置される。したがって、下部支持架台５３は、略直方体の外形を有するフレーム構造を有している。
【００３５】
かかる支持架台５の構成によれば、ドラム２の左右の支持部（第一支持部５３ａ及び第二支持部５３ｂ）を連結部５３ｃで連結したことにより、支持架台５を一体化することができ、支持架台５の剛性を高め、ドラム２の支持を安定させることができる。なお、上述した支持架台５は単なる一例であり、下部支持架台５３を省略して第一上部支持架台５１及び第二上部支持架台５２を連結した構成（昇降機構を有しない構成）であってもよい。
【００３６】
次に、本発明の第二実施形態に係るワイヤロープ繰り出し装置について、図３を参照しつつ説明する。ここで、図３は、本発明の第二実施形態に係るワイヤロープ繰り出し装置を示す図であり、（ａ）は側面図、（ｂ）は正面図、である。なお、上述した第一実施形態と同じ構成部品については、同じ符号を付して重複した説明を省略する。
【００３７】
図３（ａ）及び（ｂ）に示した第二実施形態に係るワイヤロープ繰り出し装置１は、支持架台５の構成を変更したものである。
【００３８】
第二実施形態における支持架台５は、回転軸４の一端を回転可能に支持する第一上部支持架台５１と、回転軸４の他端を回転可能に支持する第二上部支持架台５２と、第一上部支持架台５１及び第二上部支持架台５２を昇降可能に支持する下部支持架台５３と、を有し、下部支持架台５３は、第一上部支持架台５１に接続される第一支持部５３ａと、第二上部支持架台５２に接続される第二支持部５３ｂと、第一支持部５３ａ及び第二支持部５３ｂを連結する連結部５３ｃと、を有している。
【００３９】
第一上部支持架台５１は、図３（ａ）に示したように、略Ｉ字状のフレーム構造を有している。かかるフレームの上部には、回転軸４を支持する軸受部５１ａが形成されている。第二上部支持架台５２は、図１（ｂ）に示したように、第一上部支持架台５１と同じ構成を有しており、フレームの上部には軸受部５２ａが形成されている。軸受部５２ａは、上下に分割されたカップリング構造を有していてもよい。かかる構成の軸受部５２ａを配置することにより、軸受部５２ａの下側部分に回転軸４を載置した後、軸受部５２ａの上側部分を取り付けることができ、回転軸４を有するドラム２を容易に支持架台５に移載することができる。
【００４０】
下部支持架台５３の第一支持部５３ａは、図３（ａ）に記載したように、略Ｔ字状のフレーム構造を有しており、その支柱部分に第一上部支持架台５１が摺動可能となるように構成されている。第一支持部５３ａには、剛性を高めるために適宜斜材等の補強材５３ｅが配置される。
【００４１】
また、下部支持架台５３（支持架台５）は、第一支持部５３ａに対して第一上部支持架台５１を位置決めする第一固定部５５ａを有している。かかる第二実施形態では、第一上部支持架台５１の昇降は作業者が手動で行うことができる。
【００４２】
第一固定部５５ａは、例えば、第一上部支持架台５１及び第一支持部５３ａに形成された複数の孔５５ｄと、第一上部支持架台５１及び第一支持部５３ａの孔５５ｄを一致させた状態で挿通されるピン５５ｅと、により構成される。ピン５５ｅの替わりにボルトを使用するようにしてもよい。
【００４３】
下部支持架台５３の第二支持部５３ｂは、上述した第一支持部５３ａと同じ構成を有しており、第二支持部５３ｂに対して第二上部支持架台５２を位置決めする第二固定部５５ｂと、を有している。
【００４４】
また、下部支持架台５３は、図３（ｂ）に示したように、第一支持部５３ａ及び第二支持部５３ｂの水平部分の両端を連結する連結部５３ｃを有している。したがって、下部支持架台５３は、略ロ字状のフレームに回転軸４を支持する支柱を立設したものと言い換えることもできる。
【００４５】
かかる支持架台５の構成によっても、ドラム２の左右の支持部（第一支持部５３ａ及び第二支持部５３ｂ）を連結部５３ｃで連結したことにより、支持架台５を一体化することができ、支持架台５の剛性を高め、ドラム２の支持を安定させることができる。なお、上述した支持架台５は単なる一例であり、第一固定部５５ａ及び第二固定部５５ｂを省略して第一上部支持架台５１及び第二上部支持架台５２をそれぞれ第一支持部５３ａ及び第二支持部５３ｂに固定した構成（昇降機構を有しない構成）であってもよい。
【００４６】
次に、本発明の第三実施形態に係るワイヤロープ繰り出し装置について、図４及び図５を参照しつつ説明する。ここで、図４は、本発明の第三実施形態に係るワイヤロープ繰り出し装置を示す図であり、（ａ）は側面図、（ｂ）は正面図、である。図５は、図４に示したワイヤロープ繰り出し装置の変形例を示す図であり、（ａ）は第一変形例、（ｂ）は第二変形例、を示している。なお、上述した第一実施形態と同じ構成部品については、同じ符号を付して重複した説明を省略する。
【００４７】
図４（ａ）及び（ｂ）に示した第三実施形態に係るワイヤロープ繰り出し装置１は、上述した第一実施形態に係るワイヤロープ繰り出し装置１に制動手段６を配置したものである。制動手段６は、例えば、支持架台５に配置される。すなわち、支持架台５は、ドラム２の両端部に形成されたフランジ部２３の周側部に当接してドラム２の回転を制動する制動手段６を有している。
【００４８】
制動手段６は、例えば、第一上部支持架台５１の上面に配置されたヒンジ部６１と、ヒンジ部６１に回動可能に接続されたレバー部材６２と、レバー部材６２の先端部に配置されドラム２のフランジ部２３に当接する弾性体６３と、を有する。弾性体６３は、木製のフランジ部２３との間で摩擦力を生じさせる素材により構成され、例えば、硬質ゴムや樹脂材によって構成される。レバー部材６２は、操作性を考慮して、図示したように、屈折した形状を有していてもよい。レバー部材６２とヒンジ部６１とは、駆動ピン６４によって回動可能に連結されている。
【００４９】
したがって、レバー部材６２を上側に回動させると、弾性体６３はフランジ部２３の周側部から離反し、レバー部材６２を下側に回動させると、弾性体６３はフランジ部２３の周側部に接近することとなる。そして、弾性体６３がフランジ部２３の周側部に当接すると摩擦力を生じ、ドラム２の回転にブレーキがかかり制動される。
【００５０】
なお、図示しないが、制動手段６は、弾性体６３（レバー部材６２）をフランジ部２３の周側部から離反する方向に付勢するバネを有していてもよい。かかるバネを配置することにより、制動する必要がないときには、レバー部材６２から手を離した状態であっても弾性体６３がフランジ部２３に当接しないようにすることができる。
【００５１】
図５（ａ）に示した第三実施形態の第一変形例は、制動手段６を第一上部支持架台５１及び第二上部支持架台５２の両方に配置したものである。かかる構成によれば、いずれか一方の制動手段６を使用することにより、ドラム２の回転を制動することができる。また、両方の制動手段６を使用することにより、バランスよく効果的にドラム２を制動することができる。
【００５２】
図５（ｂ）に示した第三実施形態の第二変形例は、第一上部支持架台５１及び第二上部支持架台５２の両方に配置した制動手段６を同期させるようにしたものである。例えば、制動手段６は、一対のヒンジ部６１の間に長尺の駆動ピン６４が掛け渡されており、一方のフランジ部２３に対応する位置（第一上部支持架台５１側）に把手付きのレバー部材６２が配置され、他方のフランジ部２３に対応する位置（第二上部支持架台５２側）に把手なしのレバー部材６２が配置されている。したがって、把手付きのレバー部材６２を回動させることにより、左右両側の弾性体６３を同時にフランジ部２３の周側部に当接させることができ、制動タイミングを容易に同期させることができる。
【００５３】
次に、本発明の第四実施形態に係るワイヤロープ繰り出し装置について、図６を参照しつつ説明する。ここで、図６は、本発明の第四実施形態に係るワイヤロープ繰り出し装置を示す図であり、（ａ）は側面図、（ｂ）は正面図、である。なお、上述した第二実施形態と同じ構成部品については、同じ符号を付して重複した説明を省略する。
【００５４】
図６（ａ）及び（ｂ）に示した第四実施形態に係るワイヤロープ繰り出し装置１は、上述した第二実施形態に係るワイヤロープ繰り出し装置１に制動手段６を配置したものである。制動手段６は、例えば、支持架台５に配置される。すなわち、支持架台５は、ドラム２の両端部に形成されたフランジ部２３の周側部に当接してドラム２の回転を制動する制動手段６を有している。
【００５５】
制動手段６は、例えば、少なくとも一方（ここでは第一上部支持架台５１側）のドラム２のフランジ部２３に掛け回されたブレーキバンド６５と、ブレーキバンド６５の一端側に形成され支持架台５に固定される固定部６６と、ブレーキバンド６５の他端側に接続されたペダル６７と、ペダル６７の位置決めを行うストッパ６８と、を有している。なお、制動手段６は、第二上部支持架台５２側に配置するようにしてもよいし、第一上部支持架台５１側及び第二上部支持架台５２側の両方に配置するようにしてもよい。
【００５６】
ブレーキバンド６５は、ゴム等の弾性体により構成されており、少なくともフランジ部２３に掛け回される部分は断面コ字状を有している。したがって、ブレーキバンド６５の溝部にフランジ部２３の縁部を挿入することができ、ブレーキバンド６５の脱離を抑制することができる。
【００５７】
固定部６６は、ブレーキバンド６５に形成された留め孔６６ａと、留め孔６６ａを介して支持架台５に螺合されるボルト６６ｂと、により構成される。留め孔６６ａは、フランジ部２３の大きさに合わせてブレーキバンド６５の長さを変更することができるように、長手方向に複数形成される。なお、固定部６６が形成される部分のブレーキバンド６５は、支持架台５との密着度を考慮して、側壁部分を除去した平板状であることが好ましい。
【００５８】
ペダル６７は、金属製の平板部材であって、ブレーキバンド６５の先端部に垂直となるように接続されている。ストッパ６８は、ブレーキバンド６５を案内するガイド孔６８ａを有する板部材６８ｂにより構成されており、板部材６８ｂは支持架台５に固定される。かかる構成により、ペダル６７を図の矢印方向に移動させることにより、ブレーキバンド６５を長手方向に移動させることができ、フランジ部２３を締め付けることによってドラム２の回転を制動することができる。
【００５９】
なお、図６（ａ）及び（ｂ）に示したブレーキバンド６５の操作機構は単なる一例であり、図示した構成に限定されるものではない。例えば、ペダルの一端を下部支持架台の上面に回動可能に固定するとともに、ペダルと下部支持架台との間にバネを介在させ、ペダルの他端にブレーキバンドを回動可能に接続するような構成であってもよい。
【００６０】
上述した第三実施形態及び第四実施形態に示した制動手段６を支持架台５に配置することにより、ワイヤロープＷの繰り出し速度が低下した場合に、ドラム２が慣性力で過剰に回転してワイヤロープＷに弛みが生じてしまうことを容易に抑制することができる。
【００６１】
上述した第一実施形態〜第四実施形態に示した支持架台５のフレーム構造は、平板、Ｌ型鋼、Ｈ型鋼、山形鋼（アングル）、溝形鋼（チャンネル）等の鋼材を適宜使用して組み立てられるものであるが、かかるフレーム構造に限定されるものではない。
【００６２】
本発明は上述した実施形態に限定されず、制動手段６の構成は適宜変更することができる等、本発明の趣旨を逸脱しない範囲で種々変更が可能であることは勿論である。
【符号の説明】
【００６３】
１  ワイヤロープ繰り出し装置
２  ドラム
３  アタッチメント
４  回転軸
５  支持架台
６  制動手段
２１  空洞軸
２１ａ  開口部
２３  フランジ部
３１  挿通孔
３２  筒状部
３３  蓋部
５１  第一上部支持架台
５２  第二上部支持架台
５３  下部支持架台
５３ａ  第一支持部
５３ｂ  第二支持部
５３ｃ  連結部
５４  第一ホイスト
５５ａ  第一固定部
５５ｂ  第二固定部
【図１】
2014181080.tif 000003
【図２】
2014181080.tif 000004
【図３】
2014181080.tif 000005
【図４】
2014181080.tif 000006
【図５】
2014181080.tif 000007
【図６】
2014181080.tif 000008
【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
ワイヤロープを巻き付けたドラムからワイヤロープを繰り出すワイヤロープ繰り出し装置において、
前記ドラムの空洞軸の開口部に挿入されて固定されるとともに前記空洞軸と同軸上の挿通孔を有するアタッチメントと、
前記挿通孔に挿通される回転軸と、
該回転軸を回転可能に支持する支持架台と、を有し、
前記支持架台は、前記回転軸の一端を回転可能に支持する第一上部支持架台と、前記回転軸の他端を回転可能に支持する第二上部支持架台と、前記第一上部支持架台及び前記第二上部支持架台を昇降可能に支持する下部支持架台と、を有し、前記下部支持架台は、前記第一上部支持架台に接続される第一支持部と、前記第二上部支持架台に接続される第二支持部と、前記第一支持部及び前記第二支持部を連結する連結部と、
を有することを特徴とするワイヤロープ繰り出し装置。
【請求項２】
前記アタッチメントは、前記空洞軸に挿通される先端側が縮径した筒状部と、該筒状部の後端側を塞ぐとともに前記筒状部よりも大きな径を有する蓋部と、を有し、前記挿通孔は前記蓋部に形成されている、ことを特徴とする請求項１に記載のワイヤロープ繰り出し装置。
【請求項３】
前記支持架台は、前記第一支持部に対して前記第一上部支持架台を上下方向に移動させる第一ホイストと、前記第一支持部に対して前記第一上部支持架台を位置決めする第一固定部と、前記第二支持部に対して前記第二上部支持架台を上下方向に移動させる第二ホイストと、前記第二支持部に対して前記第二上部支持架台を位置決めする第二固定部と、を有することを特徴とする請求項１又は２に記載のワイヤロープ繰り出し装置。
【請求項４】
前記支持架台は、前記ドラムの両端部に形成されたフランジ部の、少なくとも一方の前記フランジ部の周側部に当接して前記ドラムの回転を制動する制動手段を有する、ことを特徴とする請求項１〜３のいずれか一項に記載のワイヤロープ繰り出し装置。
【手続補正２】
【補正対象書類名】明細書
【補正対象項目名】００１０
【補正方法】変更
【補正の内容】
【００１０】
本発明によれば、ワイヤロープを巻き付けたドラムからワイヤロープを繰り出すワイヤロープ繰り出し装置において、前記ドラムの空洞軸の開口部に挿入されて固定されるとともに前記空洞軸と同軸上の挿通孔を有するアタッチメントと、前記挿通孔に挿通される回転軸と、該回転軸を回転可能に支持する支持架台と、を有し、前記支持架台は、前記回転軸の一端を回転可能に支持する第一上部支持架台と、前記回転軸の他端を回転可能に支持する第二上部支持架台と、前記第一上部支持架台及び前記第二上部支持架台を昇降可能に支持する下部支持架台と、を有し、前記下部支持架台は、前記第一上部支持架台に接続される第一支持部と、前記第二上部支持架台に接続される第二支持部と、前記第一支持部及び前記第二支持部を連結する連結部と、を有することを特徴とするワイヤロープ繰り出し装置が提供される。
【手続補正３】
【補正対象書類名】明細書
【補正対象項目名】００１２
【補正方法】削除
【補正の内容】